(57)【要約】      （修正有）【課題】強度を低下させることなく、見栄えよく飾りパネルを設けることが可能なカートンおよびこのカートンを構成するカートンブランクを提供する。【解決手段】底壁２Ｄが一対の底板２Ｄａ、２Ｄｂにより構成され、底板２Ｄａ、２Ｄｂの対向する側縁部分にそれぞれ連結タブ３１、タブ嵌合開口３５が形成されており、連結タブ３１をタブ嵌合開口３５に嵌合させて底板２Ｄａ、２Ｄｂを連結することにより、筒状体７が形成されているカートン９において、頂壁２Ａにおける開口８側の一端縁に、飾りパネル２１が切り取り線２２を介して切り取り可能に連設されている。【選択図】図１
0003179277.tif 000002
【実用新案登録請求の範囲】
【請求項１】
頂壁、一対の側壁、および底壁をそれぞれ構成する各壁パネルが順次連設され、両端に開口を有し内部に複数の収納物を収納する筒状体を備えており、前記各壁パネルのうち１つの壁パネルが一対の板パネルにより構成され、前記両板パネルの対向する側縁部分を互いに重ね合わせて連結することにより、前記筒状体が形成されているカートンにおいて、
少なくとも１つの前記壁パネルにおける開口側の少なくとも一端縁に、飾りパネルが切り取り線を介して切り取り可能に連設されていることを特徴とするカートン。
【請求項２】
前記飾りパネルに隣位して設けられ、前記飾りパネルが連設された前記壁パネルから離間する方向に力を加えられることにより、前記飾りパネルの前記壁パネルからの切り取りを補助する切断補助部が設けられていることを特徴とする請求項１に記載のカートン。
【請求項３】
前記底壁が、前記両板パネルとしての両底板によって構成され、前記飾りパネルが前記頂壁における開口側の少なくとも一端縁に連設されていることを特徴とする請求項１または請求項２に記載のカートン。
【請求項４】
頂壁、一対の側壁、および底壁をそれぞれ構成する各壁パネルを有し、前記各壁パネルのうち１つの前記壁パネルが一対の板パネルにより構成され、前記両板パネルが両端部に位置するように前記各壁パネルが一列に配され、前記両板パネルの開放された側縁部分を互いに重ね合わせて連結することにより、両端に開口を有し内部に複数の収納物が収納される筒状体を形成するカートンブランクにおいて、
少なくとも１つの前記壁パネルにおける開口側の少なくとも一端縁に、飾りパネルが切り取り線を介して切り取り可能に連設されていることを特徴とするカートンブランク。
【考案の詳細な説明】
【技術分野】
【０００１】
本考案は、両端が開口された筒状体を有し、筒状体の内部に被収納物を収納可能なカートンおよびカートンブランクに関する。
【背景技術】
【０００２】
従来より、両端が開口された筒状体の内部に複数の缶等の被収納物をまとめて収納するカートンが、複数の物品の保管・運搬の容易性等の観点から用いられている。
【０００３】
従来のカートンは、例えば、頂壁と一対の側壁と底壁とを有し、両端が開口されて内部に缶等の被収納物が収納された筒状体を備えている。
【０００４】
前述のような従来のカートンにおいて、機械的に組み立て可能であり、強度が高い等の観点から、各壁パネルのうち例えば底壁が一対の底板によって構成され、両底板の各側縁部分にそれぞれ嵌合部が形成されており、各嵌合部を嵌合して両底板の各側縁部分を連結し底壁を構成することにより、筒状体が形成されるカートンが多用されている（例えば、特許文献１参照）。
【先行技術文献】
【特許文献】
【０００５】
【特許文献１】特開２００３−３４３５４号公報
【考案の概要】
【考案が解決しようとする課題】
【０００６】
ここで、近年、カートンに、筒状体から切り取り可能なクーポン券等の飾りパネルを設けることが行われている。
【０００７】
そこで、前述のような従来の一対の底板を連結して筒状体が形成されるカートンに飾りパネルを設ける場合、例えば、飾りパネルを、側壁に形成された切込み線と切り取り線とに囲まれた部分によって構成することが考えられる。この飾りパネルは、切り取り線によって側壁に連設されるとともに、側壁から切り取り可能とされている。しかし、このような飾りパネルは、側壁の一部分に切込み線を形成することからカートンの強度が低下してしまい、さらに、カートンの内部が露出して見栄えがあまりよくなくなってしまう。
【０００８】
本考案はこれらの点に鑑みてなされたものであり、強度を低下させることなく、見栄えよく飾りパネルを設けることが可能なカートンおよびこのカートンを構成するカートンブランクを提供することを目的とする。
【課題を解決するための手段】
【０００９】
前記目的を達成するため、本考案に係るカートンの特徴は、頂壁、一対の側壁、および底壁をそれぞれ構成する各壁パネルが順次連設され、両端に開口を有し内部に複数の収納物を収納する筒状体を備えており、前記各壁パネルのうち１つの壁パネルが一対の板パネルにより構成され、前記両板パネルの対向する側縁部分を互いに重ね合わせて連結することにより、前記筒状体が形成されているカートンにおいて、少なくとも１つの前記壁パネルにおける開口側の少なくとも一端縁に、飾りパネルが切り取り線を介して切り取り可能に連設されている点にある。
【００１０】
この本考案に係るカートンによれば、１つの壁パネルが一対の板パネルにより構成され、両板パネルの対向する側縁部分が互いに重ね合わされて連結されることにより、筒状体が形成されるカートンにおいて、少なくとも１つの壁パネルにおける開口側の少なくとも一端縁に飾りパネルを連設することにより、従来のように、側壁に切込み線を形成して側壁の一部分を飾りパネルとすることなく、飾りパネルを設けることができる。
【００１１】
また、前記カートンにおいて、前記飾りパネルに隣位して設けられ、前記飾りパネルが連設された前記壁パネルから離間する方向に力が加えられることにより、前記飾りパネルの前記壁パネルからの切り取りを補助する切断補助部が設けられているとよい。これにより、本考案に係るカートンによれば、切断補助部を用いて飾りパネルを壁パネルから容易に切り取ることができる。
【００１２】
さらに、前記カートンにおいて、前記底壁が、前記両板パネルとしての両底板によって構成され、前記飾りパネルが前記頂壁における開口側の少なくとも一端縁に連設されているとよい。これにより、本考案に係るカートンによれば、機械によって容易に組み立てられることができるとともに、見栄えをよくすることができる。
【００１３】
また、本考案に係るカートンブランクの特徴は、頂壁、一対の側壁、および底壁をそれぞれ構成する各壁パネルを有し、前記各壁パネルのうち１つの前記壁パネルが一対の板パネルにより構成され、前記両板パネルが両端部に位置するように前記各壁パネルが一列に配され、前記両板パネルの開放された側縁部分を互いに重ね合わせて連結することにより、両端に開口を有し内部に複数の収納物が収納される筒状体を形成するカートンブランクにおいて、少なくとも１つの前記壁パネルにおける開口側の少なくとも一端縁に、飾りパネルが切り取り線を介して切り取り可能に連設されている点にある。
【００１４】
この本考案に係るカートンブランクによれば、１つの壁パネルが一対の板パネルにより構成され、両板パネルの開放された側縁部分を互いに重ね合わせて連結することにより筒状体を形成するカートンブランクにおいて、少なくとも１つの壁パネルにおける開口側の少なくとも一端縁に飾りパネルを連設することにより、従来のように、側壁に切込み線を形成して側壁の一部分を飾りパネルとすることなく、飾りパネルを設けることができる。
【考案の効果】
【００１５】
以上述べたように、本考案に係るカートンおよびカートンブランクによれば、強度および見栄えを低下させることなく、かつ壁パネルから容易に切り取り可能な飾りパネルを設けることができる。
【図面の簡単な説明】
【００１６】
【図１】本考案に係るカートンの一実施形態を構成するカートンブランクを示す平面図
【図２】図１に示すカートンブランクにより構成されたカートンを示す斜視図
【図３】本考案に係るカートンの他の実施形態を構成するカートンブランクを示す平面図
【考案を実施するための形態】
【００１７】
以下、本考案に係るカートンおよびカートンブランクの実施形態を、図１乃至図３を参照して説明する。
【００１８】
ここで、下記の実施形態においては、カートンに収納される被収納物として、円形状の頂面と円形状の底面と前記頂面および前記底面に連設された側面とによって全体形状がほぼ円筒形状となるように形成される缶を用いて説明する。
【００１９】
図１は、本考案に係るカートンの一実施形態を構成するカートンブランク１を示す斜視図であり、このカートンブランク１は、頂壁２Ａ、一対の側壁２Ｂ、２Ｃ、および底壁２Ｄを構成する各壁パネル２を有している。底壁２Ｄは、板パネルとして一対の底板２Ｄａ、２Ｄｂにより構成されており、各壁パネル２は、両端部に底板２Ｄａ、２Ｄｂが配置されるように一列に配されている。すなわち、一方の底板２Ｄａの一側縁には、折曲線３８を介して一方の側壁２Ｂが連設され、一方の側壁２Ｂの一側縁には、折曲線５を介して頂壁２Ａが連設されている。また、頂壁２Ａの一側縁には、折曲線６を介して他方の側壁２Ｃが連設され、他方の側壁２Ｃの一側縁には、折曲線３９を介して他方の底板２Ｄｂが連設されている。
【００２０】
両底板２Ｄａ、２Ｄｂのうち、一方の底板２Ｄａにおける開放された側縁部分、すなわち一方の側壁２Ｂと反対側の側縁部分には、複数の「きのこ」状の連結タブ３１が、側縁に沿って所定の間隔を隔ててそれぞれ切込み線３２により形成されており、各連結タブ３１の側壁２Ｂ側の部分は、折曲線３３を介して一方の底板２Ｄａに連結されている。また、他方の底板２Ｄｂにおける開放された側縁部分、すなわち他方の側壁２Ｃと反対側の側縁部分のうち、各連結タブ３１に対応する位置には、略長方形状のタブ嵌合開口３５がそれぞれ切込み線３６により形成されており、各タブ嵌合開口３５の他方の側壁２Ｃ側の部分は、他方の底板２Ｄｂに連設されている。そして、カートンブランク１の組み立て時において、各連結タブ３１を各タブ嵌合開口３５に嵌合させて両底板２Ｄａ、２Ｄｂを連結し、カートンの底壁２Ｄを構成することにより、図２に示すようなカートン９を構成する筒状体７を形成するようになっている。この筒状体７は、両端に開口８を有し内部に複数の被収納物Ｄが収納されるようになっている。
【００２１】
なお、本実施形態においては、底壁２Ｄを一対の底板２Ｄａ、２Ｄｂによって構成するが、本考案に係るカートン９は、これに限定されず、他の壁パネル２を一対の板パネルによって構成してもよいが、見栄えをよくする等の観点からは、底壁２Ｄを一対の底板２Ｄａ、２Ｄｂによって構成することが好ましい。また、本考案において、両底板２Ｄａ、２Ｄｂすなわち両板パネルを連結するための連結タブ３１およびタブ嵌合開口３５は、本実施形態の形状に限定されず、カートンブランク１を機械によって被収納物Ｄを収納したカートン９に組み立てる際に当該機械によって嵌合可能な形状であればよい。さらに、本考案において、両板パネルを連結する手段は、本実施形態のような嵌合に限定されず、例えば接着材による接着等、両板パネルの開放された側縁部分を互いに重ね合わせて両板パネルを連結することができる手段であればよい。
【００２２】
頂壁２Ａの開口８側の両端縁における両端部分には、それぞれ筒状体７の内部に収納される被収納物Ｄの上面を被覆するほぼ三角形状の被覆壁１７が、頂壁２Ａと一体に形成されており、頂壁２Ａの開口８側の各端縁に形成された隣位する両被覆壁１７は、間隙をもって配置されている。頂壁２Ａの開口８側の一端縁に連設された両被覆壁１７における頂壁２Ａと反対側の端部には、クーポン等に利用される飾りパネル２１が切り取り線２２を介して連設されており、これにより、飾りパネル２１は、頂壁２Ａの一端縁に両被覆壁１７を介して切り取り可能に連設されている。
【００２３】
頂壁２Ａと飾りパネル２１との間には、飾りパネル２１に隣位して設けられ、頂壁２Ａから離間する方向に力を加えられることにより、飾りパネル２１の頂壁２Ａからの切り取りを補助する切断補助部として切断用開口３７が設けられている。本実施形態においては、頂壁２Ａの一端縁に連設された両被覆壁１７をそれぞれ間隙をもって配置することにより、両被覆壁１７と飾りパネル２１とに囲まれた部分に空隙が形成され、この空隙を切断用開口３７として利用することができる。なお、本実施形態において、切断補助部は切断用開口３７により構成されているが、本考案において、切断補助部の構成はこれに限定されるものではない。例えば、飾りパネル２１に隣位するパネルに切込み線等によって形成され、飾りパネル２１が連設された壁パネル２から離間する方向に力を加えられることにより飾りパネル２１の切り取りを補助する切断用タブ等により、切断補助部を構成してもよい。
【００２４】
頂壁２Ａの中央部分には、筒状体７の内部に押し込むように折曲されることにより指挿入孔を構成する一対の折曲片２５が設けられている。各折曲片２５は、折曲線２６と、この折曲線２６の両端部に連結された円弧状の切込み線２７とによって構成されており、頂壁２Ａの側縁に沿う方向に並列し、それぞれ折曲線２６が対向するように配置されている。
【００２５】
頂壁２Ａにおける両折曲片２５よりも両側縁側には、頂壁２Ａの一端縁から他端縁に向かって延びる一対の断続切断線２９が、両折曲片２５を間に挟んで位置するように形成されており、頂壁２Ａにおける両断続切断線２９の間に位置する部分は切り取りパネル３０とされている。そして、この切り取りパネル３０は、頂壁２Ａの一端縁部分を基端として頂壁２Ａの他端方向に引っ張られることにより、両断続切断線２９を介して頂壁２Ａから切り離し可能とされている。
【００２６】
筒状体７における開口８側の端縁には、被収納物Ｄを筒状体７の内部に保持する物品保持手段１０が設けられている。物品保持手段１０は、両側壁２Ｂ、２Ｃにおける両端縁に折曲線１１を介して折曲可能に連設され、筒状体７の内部方向に折曲されるほぼ台形状の折返し片１２と、折返し片１２の両側縁に折曲線１３を介して折曲可能に連設され、被収納物Ｄの周面における上端部分および下端部分を被覆する被覆片１５とを有している。折返し片２１における頂壁２Ａ側の一側縁に連設された被覆片１５は、頂壁２Ａに一体に形成された被覆壁１７に折曲線１８を介して折曲可能に連設されている。また、折返し片２１における底板２Ｄａ、２Ｄｂ側に連設された被覆片１５は、底板２Ｄａ、２Ｄｂの開口８側の両端縁に一体に形成され、被収納物Ｄの下面を被覆する被覆壁１９に折曲線２０を介して折曲可能に連設されている。
【００２７】
次に、本実施形態に係るカートンブランク１により形成されたカートン９について説明する。
【００２８】
図２に示すように、本実施形態に係るカートン９は、一方の底板２Ｄａの各連結タブ３１が、他方の底板２Ｄｂのタブ嵌合開口３５に嵌合されて両底板２Ｄａ、２Ｄｂの対向する側縁部分が互いに重ね合わされることにより、両底板２Ｄａ、２Ｄｂが連結されている。これにより、カートン９は、頂壁２Ａ、一対の側壁２Ｂ、２Ｃ、および底壁２Ｄが順次連設されて両端に開口８が形成された筒状体７を有している。
【００２９】
頂壁２Ａにおける開口側の一端縁には、両被覆壁１７を介して飾りパネル２１が設けられており、飾りパネル２１は、飾りパネル２１と両被覆壁１７との間に位置する切り取り線２２を介して切り取り可能とされている。両被覆壁１７と飾りパネル２１とに囲まれた部分は、切断用開口３７とされており、飾りパネル２１は、切断用開口３７に指を挿入して頂壁２Ａから離間する方向に引っ張られることにより、容易に切り取り可能とされている。
【００３０】
折返し片１２は、折返し片１２の外面が開口８に臨む位置に収納された被収納物Ｄの周面に対向するように側壁２Ｂ、２Ｃと折返し片１２との間に位置する折曲線１１が山折りされることにより、筒状体７の内部方向に折曲されている。そして、被収納物Ｄの周面によって折返し片１２を側壁２Ｂ、２Ｃ側に押さえることができ、これにより、折返し片１２が筒状体７の外部に抜け出てしまうことを防止するようになっている。また、被覆片１５は、折返し片１２と被覆片１５の間にと位置する折曲線１３が谷折りされることにより、開口８に臨む位置に収納された被収納物Ｄの周面における上端部分および下端部分を被覆するようになっている。これにより、物品保持手段１０は、筒状体７の開口８に臨む位置に収納された被収納物Ｄの上端部分および下端部分を支持して、被収納物Ｄを筒状体７の内部に保持するようになっている。
【００３１】
次に、本実施形態の作用について説明する。
【００３２】
本実施形態によれば、一対の底板２Ｄａ、２Ｄｂの側縁部分に形成された連結タブ３１をタブ嵌合開口３５に嵌合させて両底板２Ｄａ、２Ｄｂを連結することにより筒状体７が形成されるカートン９において、側壁に切込み線を形成して側壁の一部分に飾りパネルを設けることをせずに、飾りパネル２１を設けることができる。
【００３３】
したがって、カートン９の強度および見栄えを低下させることなく、飾りパネル２１を設けることができる。また、頂壁２Ａの一端縁に切り取り線２２を介して連設されているので、側壁に切込み線を形成することにより側壁の一部分を飾りパネルとする場合と比較して、筒状体７から容易に切り取り可能な飾りパネル２１を設けることができる。
【００３４】
また、本実施形態によれば、頂壁２Ａと飾りパネル２１との間の一部分に切断用開口３７を設けることにより、切断用開口３７に指を挿入して頂壁２Ａから離間する方向に飾りパネル２１を引っ張って、飾りパネル２１を頂壁２Ａから容易に切り取ることができる。さらに、クーポン券等を構成する飾りパネル２１を目立たせることができる。
【００３５】
さらに、本実施形態によれば、底壁２Ｄを一対の底板２Ｄａ、２Ｄｂにより構成し、一方の底板２Ｄａの連結タブ３１を他方の底板２Ｄｂのタブ嵌合開口３５に嵌合させて、両底板２Ｄａ、２Ｄｂの対向する側縁部分を互いに重ね合わせて両底板２Ｄａ、２Ｄｂを連結することによって筒状体７を形成することにより、機械によって容易にカートン９を組み立てることができるとともに、見栄えのよいカートン９とすることができる。
【００３６】
なお、本考案は前記実施形態に限定されるものではなく、必要に応じて種々変更することが可能である。
【００３７】
図３は、本考案に係るカートンの他の実施形態を構成するカートンブランクを示す平面図であり、図３に示すように、飾りパネル２１を頂壁２Ａの開口８側の一端縁における一部分に連設してもよい。また、各壁パネル２を、それぞれ傾斜壁４０を介して連設し、各傾斜壁４０に、筒状体７の内部に収納される各被収納物Ｄの上端縁および下端縁の一部分をそれぞれ保持する保持部４１を設けてもよいし、両側壁２Ｂ、２Ｃの端縁に折返し片や被覆片を設けなくてもよい。このようなカートン９において、頂壁２Ａではなく、側壁２Ｂ、２Ｃの端縁に飾りパネル２１を切り取り線２２を介して切り取り可能に設けてもよい。
【００３８】
また、切り取りパネル３０や、指挿入孔の形状、配置位置、有無等について、本考案は本実施形態に限定されるものではない。
【符号の説明】
【００３９】
１  カートンブランク
２Ａ  頂壁
２Ｂ、２Ｃ  側壁
２Ｄ  底壁
２Ｄａ、２Ｄｂ  底板
７  筒状体
８  開口
９  カートン
１７  被覆壁
２１  飾りパネル
２２  切り取り線
３１  連結タブ
３５  タブ嵌合開口
３７  切断用開口
Ｄ  被収納物
【図１】
0003179277.tif 000003
【図２】
0003179277.tif 000004
【図３】
0003179277.tif 000005